(57)【要約】【課題】管ガラスの洗浄を好適に行うことのできる管ガラスの処理方法及び処理装置を提供する。【解決手段】管ガラスＧの処理方法は、管ガラスＧの洗浄工程を備える。洗浄工程は、管ガラスＧの上方に備えた洗浄液噴射部１３により洗浄液を噴射する洗浄液噴射工程と、管ガラスＧの下方に備えた洗浄液吸引部１４により洗浄液を吸引する洗浄液吸引工程とを有する。洗浄工程において、両端開口部を上下に向けた状態の管ガラスＧを、洗浄液噴射部１３の下方及び洗浄液吸引部１４の上方を通過するように往復動させる。管ガラスＧの処理装置１１は、管ガラスＧの両端開口部を上下に向けた状態で管ガラスＧを往復動させるコンベア１２と、管ガラスＧの上方から洗浄液を噴射する洗浄液噴射部１３と、管ガラスＧの下方から洗浄液を吸引する洗浄液吸引部１４とを備える。【選択図】図１
2017000913.tif 000002
【特許請求の範囲】
【請求項１】
管ガラスの洗浄工程を備える管ガラスの処理方法であって、
前記洗浄工程は、
前記管ガラスの上方に備えた洗浄液噴射部より洗浄液を噴射する洗浄液噴射工程と、
前記管ガラスの下方に備えた洗浄液吸引部より洗浄液を吸引する洗浄液吸引工程とを有し、
前記洗浄工程において、両端開口部を上下に向けた状態の前記管ガラスを、前記洗浄液噴射部の下方及び前記洗浄液吸引部の上方を通過するように往復動させることを特徴とする管ガラスの処理方法。
【請求項２】
前記洗浄液噴射部及び前記洗浄液吸引部は、前記管ガラスが順に通過するように異なる位置に配置されることを特徴とする請求項１に記載の管ガラスの処理方法。
【請求項３】
前記洗浄液噴射部は、前記管ガラスの往復動方向において前記洗浄液吸引部を挟む位置に第１噴射部及び第２噴射部が設置されることを特徴とする請求項２に記載の管ガラスの処理方法。
【請求項４】
前記管ガラスの往復動方向と交差する方向に沿って複数の前記管ガラスを配列し、
前記管ガラスの往復動方向と交差する方向に広がる扇形に前記洗浄液を噴射することを特徴とする請求項１から請求項３のいずれか一項に記載の管ガラスの処理方法。
【請求項５】
複数の前記管ガラスを保持具に保持させるとともに、前記洗浄工程において前記保持具を往復動させることを特徴とする請求項１から請求項４のいずれか一項に記載の管ガラスの処理方法。
【請求項６】
前記洗浄工程の後に前記管ガラスを乾燥する乾燥工程をさらに備え、
前記乾燥工程は、前記洗浄液の噴射を停止するとともに、両端開口部を上下に向けた状態の前記管ガラスを、前記洗浄液吸引部の上方を通過するように移動させる工程であることを特徴とする請求項１から請求項５のいずれか一項に記載の管ガラスの処理方法。
【請求項７】
前記乾燥工程は、前記洗浄液吸引部の上方を通過するように前記管ガラスを往復動させる工程であることを特徴とする請求項６に記載の管ガラスの処理方法。
【請求項８】
前記管ガラスの内径は、０．５ｍｍ以上、５ｍｍ以下の範囲内であることを特徴とする請求項１から請求項７のいずれか一項に記載の管ガラスの処理方法。
【請求項９】
管ガラスの両端開口部を上下に向けた状態で前記管ガラスを往復動させるコンベアと、
前記管ガラスの上方から洗浄液を噴射する洗浄液噴射部と、
前記管ガラスの下方から洗浄液を吸引する洗浄液吸引部と、を備えることを特徴とする管ガラスの処理装置。
【発明の詳細な説明】
【技術分野】
【０００１】
本発明は、管ガラスの処理方法及び処理装置に関する。
【背景技術】
【０００２】
従来、例えば、半導体素子を封入する用途に用いられる管ガラスが知られている（特許文献１参照）。
【先行技術文献】
【特許文献】
【０００３】
【特許文献１】特開２００２−２７０７３４号公報
【発明の概要】
【発明が解決しようとする課題】
【０００４】
ところで、管ガラスの清浄度を高めるためには、洗浄液を用いて洗浄することが有効である。こうした管ガラスの洗浄について、未だ改善の余地がある。
本発明は、こうした実情に鑑みてなされたものであり、その目的は、管ガラスの洗浄を好適に行うことのできる管ガラスの処理方法及び処理装置を提供することにある。
【課題を解決するための手段】
【０００５】
上記課題を解決する管ガラスの処理方法は、管ガラスの洗浄工程を備える管ガラスの処理方法であって、前記洗浄工程は、前記管ガラスの上方に備えた洗浄液噴射部より洗浄液を噴射する洗浄液噴射工程と、前記管ガラスの下方に備えた洗浄液吸引部より洗浄液を吸引する洗浄液吸引工程とを有し、前記洗浄工程において、両端開口部を上下に向けた状態の前記管ガラスを、前記洗浄液噴射部の下方及び前記洗浄液吸引部の上方を通過するように往復動させる。
【０００６】
この方法によれば、管ガラスへの洗浄液の噴射と管ガラス内の洗浄液の吸引とを管ガラスの往復動によって繰り返し行うことができる。これにより、管ガラスの洗浄ラインが長くなることを抑えるとともに、設備を増やすことなく、管ガラスへの洗浄液の噴射と管ガラス内の洗浄液の吸引とを複数回にわたって行うことが可能となる。
【０００７】
上記管ガラスの処理方法において、前記洗浄液噴射部及び前記洗浄液吸引部は、前記管ガラスが順に通過するように異なる位置に配置されることが好ましい。
この方法によれば、管ガラス内に洗浄液を適度に滞留させた後、管ガラス内の洗浄液を吸引することが可能となる。
【０００８】
上記管ガラスの処理方法において、前記洗浄液噴射部は、前記管ガラスの往復動方向において前記洗浄液吸引部を挟む位置に第１噴射部及び第２噴射部が設置されることが好ましい。
【０００９】
この方法によれば、洗浄液の噴射及び吸引を１回の洗浄としたとき、洗浄液の噴射から開始して管ガラスを一往復させることで２回の洗浄を行うことができる。
上記管ガラスの処理方法において、前記管ガラスの往復動方向と交差する方向に沿って複数の前記管ガラスを配列し、前記管ガラスの往復動方向と交差する方向に広がる扇形に前記洗浄液を噴射することが好ましい。
【００１０】
この方法によれば、管ガラスの往復動方向と交差する方向に配列した複数の管ガラスに向けて洗浄液を噴射することで、管ガラスの洗浄効率を高めることが可能となる。
上記管ガラスの処理方法において、複数の前記管ガラスを保持具に保持させるとともに、前記洗浄工程において前記保持具を往復動させることが好ましい。
【００１１】
この方法によれば、複数の管ガラスを洗浄工程に供することが容易となる。
上記管ガラスの処理方法は、前記洗浄工程の後に前記管ガラスを乾燥する乾燥工程をさらに備え、前記乾燥工程は、前記洗浄液の噴射を停止するとともに、両端開口部を上下に向けた状態の前記管ガラスを、前記洗浄液吸引部の上方を通過するように移動させる工程であることが好ましい。
【００１２】
この方法によれば、乾燥工程を洗浄工程と連続的に行うことができる。
上記管ガラスの処理方法において、前記乾燥工程は、前記洗浄液吸引部の上方を通過するように前記管ガラスを往復動させる工程であることが好ましい。
【００１３】
この方法によれば、より確実に管ガラスの乾燥を行うことができる。
上記管ガラスの処理方法において、前記管ガラスの内径は、０．５ｍｍ以上、５ｍｍ以下の範囲内であることが好ましい。
【００１４】
上記のように内径の比較的小さい管ガラスでは、洗浄液を用いた洗浄効率が低下し易いため、上述した管ガラスの処理方法が特に有利となる。
上記課題を解決する管ガラスの処理装置は、管ガラスの両端開口部を上下に向けた状態で前記管ガラスを往復動させるコンベアと、前記管ガラスの上方から洗浄液を噴射する洗浄液噴射部と、前記管ガラスの下方から洗浄液を吸引する洗浄液吸引部と、を備える。
【発明の効果】
【００１５】
本発明によれば、管ガラスの洗浄を好適に行うことができる。
【図面の簡単な説明】
【００１６】
【図１】本実施形態の管ガラスの処理装置を示す概略正面図である。
【図２】管ガラスの処理装置を示す概略平面図である。
【発明を実施するための形態】
【００１７】
以下、管ガラスの処理方法及び処理装置の実施形態について図面を参照して説明する。なお、図面では、説明の便宜上、構成の一部を誇張して示す場合がある。また、各部分の寸法比率についても、実際と異なる場合がある。まず、管ガラスの処理装置について説明する。
【００１８】
図１及び図２に示すように、本実施形態の管ガラスＧの処理装置１１は、管ガラスＧの両端開口部を上下に向けた状態で管ガラスＧを往復動方向ＭＤに沿って往復動させるコンベア１２を備えている。処理装置１１は、さらに管ガラスＧの上方から洗浄液を噴射する洗浄液噴射部１３と、管ガラスＧの下方から洗浄液を吸引する洗浄液吸引部１４とを備えている。こうした洗浄液噴射部１３及び洗浄液吸引部１４は、処理装置１１において、図示を省略した枠体に装着されている。
【００１９】
コンベア１２は、ベルトと、ベルトを駆動する駆動部（例えば、モータＭ）とを備えている。ベルトは、洗浄液及び気体が流通可能な構成であれば、特に限定されない。ベルトとしては、例えば、メッシュベルトが挙げられる。なお、コンベア１２は、例えば、チェーンコンベアやローラーコンベアに変更することもできる。
【００２０】
図２に示すように、洗浄液噴射部１３は、第１噴射部１３ａと、第１噴射部１３ａと往復動方向ＭＤにおいて離間して配置される第２噴射部１３ｂとを備えている。洗浄液噴射部１３には、図示を省略した開閉弁を介してポンプ接続され、ポンプにより洗浄液が送液される。第１噴射部１３ａ及び第２噴射部１３ｂは、それぞれ複数の第１噴射部１３ａ，１３ａ及び複数の第２噴射部１３ｂ，１３ｂから構成されている。複数の第１噴射部１３ａ，１３ａは、平面視において往復動方向ＭＤと異なる方向（往復動方向ＭＤと直交する幅方向ＴＤ）に沿って配列されている。複数の第２噴射部１３ｂ，１３ｂについても、平面視において往復動方向ＭＤと異なる方向（往復動方向ＭＤと直交する幅方向ＴＤ）に沿って配列されている。
【００２１】
各第１噴射部１３ａ及び各第２噴射部１３ｂは、例えば、シャワーノズル、スプレーノズル等の液体噴射用ノズルにより構成される。液体噴射用ノズルの噴射形状としては、例えば、扇形、充円錐形、充角錐形、及び空円錐形が挙げられる。本実施形態の液体噴射用ノズルの噴射形状は、扇形であり、図２の二点鎖線で囲まれる範囲Ａは、洗浄液が噴射される範囲の一例を示している。洗浄液が扇形に広がる方向は、往復動方向ＭＤに交差する方向に設定されることがより好ましく、各第１噴射部１３ａ及び各第２噴射部１３ｂにおいて洗浄液が扇形に広がる方向は、互いに重ならないように設定されることが好ましい。
【００２２】
洗浄液噴射部１３から噴射させる洗浄液としては、例えば、水、アルコール、水とアルコールの混合液が挙げられる。洗浄液には、界面活性剤やキレート剤等を含有させることもできる。
【００２３】
図１及び図２に示すように、処理装置１１の洗浄液吸引部１４には吸引装置Ｓが接続されている。吸引装置Ｓとしては、例えば、吸引ブロワ、アスピレータ、及び吸引ポンプが挙げられる。なお、図示を省略するが、処理装置１１において洗浄液吸引部１４と吸引装置Ｓとの間には、気体と洗浄液とを分離する気液分離装置が設けられている。また、処理装置１１には、気液分離装置で回収した洗浄液から異物を除去するフィルタを必要に応じて設けることができる。
【００２４】
図２に示すように、本実施形態の洗浄液吸引部１４は、スリット状の開口により構成されている。洗浄液吸引部１４は、平面視において往復動方向ＭＤと交差する方向（往復動方向ＭＤと直交する幅方向ＴＤ）に沿って延在している。なお、洗浄液吸引部１４は、スリット状の開口に限定されず、例えば、メッシュ状の開口により構成することもできる。
【００２５】
洗浄液噴射部１３及び洗浄液吸引部１４は、平面視において異なる位置（重ならない位置）に配置されている。すなわち、洗浄液を噴射する噴射位置、及び洗浄液を吸引する吸引位置は、管ガラスＧが順に通過するように異なる位置に設定されている。
【００２６】
第１噴射部１３ａ及び第２噴射部１３ｂは、管ガラスＧの往復動方向ＭＤにおいて洗浄液吸引部１４を挟むように配置されている。すなわち、洗浄液を噴射する噴射位置は、管ガラスＧの往復動方向ＭＤにおいて吸引位置を挟む第１噴射位置及び第２噴射位置に設定されている。
【００２７】
図１に示すように、処理装置１１は、コンベア１２、洗浄液噴射部１３、及び洗浄液吸引部１４の各部の動作を制御する制御部により自動制御されるように構成することができる。なお、コンベア１２、洗浄液噴射部１３、及び洗浄液吸引部１４の各部の作動、停止等をオペレーターのスイッチ操作で行うように処理装置１１を構成することもできる。
【００２８】
図１及び図２に示すように、本実施形態の処理装置１１では、複数の管ガラスＧを同時に往復動させることで、管ガラスＧの処理効率を高めることができる。この場合、複数の管ガラスＧを保持する保持具Ｈが好適に用いられる。保持具Ｈは、両端開口部を上下に向けた状態の複数の管ガラスＧを保持することが可能に構成される。こうした保持具Ｈは、上方から噴射された洗浄液が下方に流通可能に構成されている。保持具Ｈとしては、例えば、メッシュ状の底壁を有する保持具Ｈを用いることができる。保持具Ｈは、平面視の一方向に複数の管ガラスＧが配列される構成であることが好ましい。本実施形態の保持具Ｈは、複数の管ガラスＧがそれぞれ往復動方向ＭＤ及び幅方向ＴＤに沿って配列可能に構成されている。
【００２９】
上述した処理装置１１は、内径が０．５ｍｍ以上、５ｍｍ以下の範囲内の管ガラスＧの処理に好適である。このように比較的小さい内径を有する直管形状の管ガラスＧは、例えば、ダイオード等の半導体素子を封入する用途に用いられる。
【００３０】
次に、管ガラスＧの処理方法について主な作用とともに説明する。
本実施形態の管ガラスＧの処理方法は、管ガラスＧの洗浄工程と、洗浄工程の後に管ガラスＧを乾燥する乾燥工程とを備えている。
【００３１】
管ガラスＧの洗浄工程は、管ガラスＧの上方に備えた洗浄液噴射部１３より洗浄液を噴射する洗浄液噴射工程と、管ガラスＧの下方に備えた洗浄液吸引部１４より洗浄液を吸引する洗浄液吸引工程とを有している。管ガラスＧの洗浄工程では、両端開口部を上下に向けた状態の管ガラスＧを洗浄液噴射部１３の下方及び洗浄液吸引部１４の上方を通過するように往復動させる。
【００３２】
本実施形態では、まず、コンベア１２上の保持具Ｈを図２の実線で示す位置から図２の二点鎖線で示す位置まで移動させる。これにより、管ガラスＧが、第１噴射部１３ａの下方、洗浄液吸引部１４の上方、及び第２噴射部１３ｂの下方の順に通過する。管ガラスＧが第１噴射部１３ａの下方を通過することで、管ガラスＧには洗浄液が噴射される。このとき、管ガラスＧ内（管ガラスＧの中空部分）には、管ガラスＧの上端の開口から洗浄液が流入する。続いて、管ガラスＧが洗浄液吸引部１４の上方を通過することで、管ガラスＧに噴射された洗浄液が吸引される。このとき、管ガラスＧ内の洗浄液は、管ガラスＧの下端の開口から強制的に排出される。続いて、管ガラスＧが第２噴射部１３ｂの下方を通過することで、管ガラスＧには再び洗浄液が噴射される。
【００３３】
次に、コンベア１２上の保持具Ｈを図２に二点鎖線で示す位置から図２に実線で示す位置まで移動させることで、管ガラスＧに対して、洗浄液の噴射、洗浄液の吸引、及び洗浄液の噴射を順に行うことができる。これにより、管ガラスＧの内外に付着している異物は、管ガラスＧから除去される。
【００３４】
こうした洗浄工程によれば、管ガラスＧへの洗浄液の噴射と管ガラスＧ内の洗浄液の吸引とを管ガラスＧ（保持具Ｈ）の往復動によって繰り返し行うことができる。これにより、管ガラスＧの洗浄ラインが長くなることを抑えるとともに、設備を増やすことなく、管ガラスＧへの洗浄液の噴射と管ガラスＧ内の洗浄液の吸引とを複数回にわたって行うことが可能となる。
【００３５】
乾燥工程は、洗浄液の噴射を停止するとともに、両端開口部を上下に向けた状態の管ガラスＧを、洗浄液吸引部１４の上方を通過するように移動させる工程である。
本実施形態では、コンベア１２上の保持具Ｈを図２の実線で示す位置から図２の二点鎖線で示す位置まで移動させる。これにより、管ガラスＧの下端の開口から洗浄液が吸引されるとともに、管ガラスＧの内周面及び外周面に沿って流れる気流により、管ガラスＧが乾燥される。この乾燥工程では、洗浄液吸引部１４の上方を通過するように管ガラスＧ（保持具Ｈ）を往復動させることが好ましい。この場合、より確実に管ガラスＧの乾燥を行うことができる。
【００３６】
上述した管ガラスＧの処理方法を処理装置１１の制御部により自動制御する際には、例えば、コンベア１２の往復動が所定の回数に達した際に、洗浄液噴射部１３を停止させるステップを制御部に実行させる。これにより、上記の洗浄工程から乾燥工程に移行させることができる。
【００３７】
以上詳述した実施形態によれば、次のような作用効果が発揮される。
（１）管ガラスＧの処理方法の洗浄工程は、管ガラスＧの上方に備えた洗浄液噴射部１３より洗浄液を噴射する洗浄液噴射工程と、管ガラスＧの下方に備えた洗浄液吸引部１４より洗浄液を吸引する洗浄液吸引工程とを有している。洗浄工程では、両端開口部を上下に向けた状態の管ガラスＧを、洗浄液噴射部１３の下方及び洗浄液吸引部１４の上方を通過するように往復動させる。この方法によれば、上記作用が得られるため、管ガラスＧの洗浄を好適に行うことができる。例えば、管ガラスＧの洗浄ラインをより短く構成したとしても、管ガラスＧの清浄度を高めることが可能である。
【００３８】
（２）管ガラスＧの処理方法において、洗浄液噴射部１３及び洗浄液吸引部１４は、管ガラスＧが順に通過するように異なる位置に設置されることが好ましい。この場合、管ガラスＧ内に洗浄液を適度に滞留させた後、管ガラスＧ内の洗浄液を吸引することが可能となる。このように管ガラスＧへの洗浄液の噴射と、管ガラスＧ内の洗浄液の吸引とを段階的に行うことで、洗浄液をより有効に利用することができる。
【００３９】
（３）管ガラスＧの処理方法において、洗浄液噴射部１３は、管ガラスＧの往復動に沿った往復動方向ＭＤにおいて洗浄液吸引部１４を挟む位置に第１噴射部１３ａ及び第２噴射部１３ｂが設置されることが好ましい。この場合、洗浄液の噴射及び吸引を１回の洗浄としたとき、洗浄液の噴射から開始して管ガラスＧを一往復させることで２回の洗浄を行うことができる。従って、管ガラスＧの洗浄効率を高めることが容易となる。
【００４０】
（４）管ガラスＧの処理方法において、管ガラスＧの往復動に沿った往復動方向ＭＤと交差する方向に広がる扇形に洗浄液を噴射することが好ましい。この場合、管ガラスＧの往復動方向と交差する方向に配列した複数の管ガラスＧに向けて洗浄液を噴射することで、管ガラスＧの洗浄効率を高めることが可能となる。
【００４１】
さらに、上記（２）欄に記載したように、洗浄液噴射部１３及び洗浄液吸引部１４が、管ガラスＧが順に通過するように異なる位置に設置される際に、管ガラスＧの往復動に沿った往復動方向ＭＤと交差する方向に広がる扇形に洗浄液を噴射することが好ましい。この場合、洗浄液吸引部１４に洗浄液が噴射されることを抑えるとともに、管ガラスＧの往復動に沿った往復動方向ＭＤにおいて、洗浄液噴射部１３と洗浄液吸引部１４の設置位置を近づけることができる。
【００４２】
上記のように洗浄液吸引部１４に洗浄液が噴射されることを抑えることで、上記（２）欄で述べたように洗浄液をより有効に利用することができる。また、管ガラスＧの往復動に沿った往復動方向ＭＤにおいて、洗浄液噴射部１３と洗浄液吸引部１４の設置位置を近づけることで、洗浄液噴射部１３及び洗浄液吸引部１４の周辺のスペースが確保され易い。これにより、例えば、管ガラスＧを往復動させるコンベア１２上に管ガラスＧを搬入するスペースや管ガラスＧをコンベア１２上から搬出するスペースが確保され易い。
【００４３】
加えて、複数の洗浄液噴射部１３において、洗浄液が扇形に広がる方向は、互いに重ならないように設定されることが好ましい。この場合、各洗浄液噴射部１３から噴射される洗浄液同士の衝突が抑えられるため、洗浄液が不要な方向に飛び散り難い。従って、洗浄液を有効に利用することができる。
【００４４】
（５）管ガラスＧの処理方法において、複数の管ガラスＧを保持具Ｈに保持させるとともに、洗浄工程において保持具Ｈを往復動させることが好ましい。この場合、複数の管ガラスＧを洗浄工程に供することが容易となる。具体的には、複数の管ガラスＧを処理装置１１へ搬入する作業の効率を高めることができる。従って、複数の管ガラスＧを効率的に洗浄することができる。また、処理装置１１から複数の管ガラスＧを搬出する作業の効率も高めることができる。
【００４５】
（６）管ガラスＧの処理方法は、洗浄工程の後に管ガラスＧを乾燥する乾燥工程をさらに備え、乾燥工程は、洗浄液の噴射を停止するとともに、両端開口部を上下に向けた状態の管ガラスＧを、洗浄液吸引部１４の上方を通過するように移動させる工程であることが好ましい。この場合、乾燥工程を洗浄工程と連続的に行うことができる。
【００４６】
（７）管ガラスＧの処理方法の乾燥工程は、洗浄液吸引部１４の上方を通過するように管ガラスＧを往復動させる工程であることが好ましい。この場合、より確実に管ガラスＧの乾燥を行うことができる。
【００４７】
（８）管ガラスＧの処理方法において、管ガラスＧの内径は、０．５ｍｍ以上、５ｍｍ以下の範囲内であることが好ましい。このように内径の比較的小さい管ガラスＧでは、洗浄液を用いた洗浄効率が低下し易いため、上述した管ガラスＧの処理方法が特に有利となる。
【００４８】
（９）管ガラスＧの処理装置１１は、管ガラスＧの両端開口部を上下に向けた状態で管ガラスＧを往復動させるコンベア１２と、管ガラスＧの上方から洗浄液を噴射する洗浄液噴射部１３と、管ガラスＧの下方から洗浄液を吸引する洗浄液吸引部１４とを備えている。この構成によれば、上記（１）欄で述べた作用効果が得られる。
【００４９】
（変更例）
上記実施形態を次のように変更して構成してもよい。なお、以下では、管ガラスＧの処理方法の変更例について述べるが、管ガラスＧの処理装置１１についても同様に変更することができる。
【００５０】
・前記管ガラスＧの処理方法において、洗浄液の吸引を利用した乾燥工程を省略し、例えば、別途準備した乾燥機を用いて管ガラスＧを乾燥してもよい。
・前記管ガラスＧの処理方法における乾燥工程において、管ガラスＧを往復動させずに、往復動方向ＭＤの一方向に移動させてもよい。
【００５１】
・前記管ガラスＧの処理方法において、保持具Ｈを用いずに、例えば、コンベア１２に設けた保持部に管ガラスＧを保持させてもよい。
・前記管ガラスＧの処理方法において、第１噴射部１３ａ及び第２噴射部１３ｂの一方を省略してもよい。
【００５２】
・前記管ガラスＧの処理方法において、洗浄液噴射部１３と洗浄液吸引部１４とを上下に重なる位置に設定することもできる。
・前記管ガラスＧの処理方法において、第１噴射部１３ａから噴射する洗浄液と、第２噴射部１３ｂから噴射する洗浄液とは、同じ種類の洗浄液であってもよいし、異なる種類の洗浄液であってもよい。
【００５３】
・前記管ガラスＧの処理方法において、管ガラスＧの往復動方向ＭＤと交差する方向に沿って複数の管ガラスＧを配列し、管ガラスＧの往復動方向ＭＤと交差する方向に広がる扇形に洗浄液を噴射している。このとき、上記実施形態では、複数の管ガラスＧを配列する方向と、洗浄液が扇形に広がる方向とは異なっているが、複数の管ガラスＧを配列する方向と、洗浄液が扇形に広がる方向とが平行になるように設定することもできる。
【００５４】
・前記管ガラスＧの処理方法において、洗浄液の洗浄液噴射部１３の数や配置は、例えば、処理に供される管ガラスＧの数や寸法に応じて適宜変更することができる。なお、洗浄液吸引部１４の数や配置についても、例えば、処理に供される管ガラスＧの数や寸法に応じて適宜変更することができる。
【符号の説明】
【００５５】
１１…処理装置、１２…コンベア、１３…洗浄液噴射部、１３ａ…第１噴射部、１３ｂ…第２噴射部、１４…洗浄液吸引部、Ｇ…管ガラス、Ｈ…保持具、ＭＤ…往復動方向。
【図１】
2017000913.tif 000003
【図２】
2017000913.tif 000004